【事件の表示】
　特願２０１２−９８２７６号「遊技機」拒絶査定不服審判事件〔平成２４年７月１９日出願公開、特開２０１２−１３５６８４号〕について、次のとおり審決する。
【結　論】
　本件審判の請求は、成り立たない。
【理　由】
１　手続の経緯の概要
　本願は、平成２０年９月３０日に出願した特願２００８−２５４４６４号の一部を平成２４年４月２３日に新たな特許出願（特願２０１２−９８２７６号）としたものであって、平成２５年６月１０日付けで拒絶の理由が通知され、同年８月９日に意見書及び手続補正書が提出されたところ、平成２６年２月２１日付けで拒絶査定がなされ（発送日：同年３月４日）、それに対し、同年５月２９日に拒絶査定不服審判の請求がなされると同時に手続補正書が提出され、当審にて平成２７年６月２６日付けで拒絶理由を通知したところ、同年８月２６日に意見書及び手続補正書が提出されたものである。
　
２　本願発明
　本願の請求項１に係る発明（以下「本願発明」という。）は、平成２７年８月２６日付け手続補正書により補正された特許請求の範囲の請求項１に記載された事項により特定される次のとおりのものである。
　「複数種類の識別情報を変動表示させ、特定表示結果が導出されたときに遊技者にとって有利な有利状態に制御可能な遊技機であって、
　変動表示の表示結果が導出されるまでに識別情報の変動表示の態様を選択する変動態様選択手段と、
　該変動態様選択手段により選択された変動表示の態様に従って識別情報を変動表示させ、表示結果を導出させる変動表示演出を含む演出の実行を制御する演出制御手段とを備え、
　該演出制御手段は、
　　変動表示の態様として再変動態様が選択されたときに、識別情報の変動表示が開始されてから表示結果が導出されるまでに一旦仮停止させた後に全ての識別情報を再度変動表示させる再変動表示を所定回実行する再変動表示実行手段と、
　　変動表示の態様として前記再変動態様が選択されたときに、仮停止よりも前に、該仮停止の後に再度変動表示される可能性があることを予告する所定の再変動情報を遊技者に報知する仮停止前再変動情報報知手段と、
　　前記再変動態様が選択されたときにおいて１回目の仮停止よりも前において、前記仮停止前再変動情報報知手段により前記再変動情報を報知することを制限可能な報知制限手段と、
　　前記仮停止前再変動情報報知手段により前記再変動情報を報知するタイミングを、所定の第１タイミングと該第１タイミングよりも遅く仮停止よりも早い第２タイミングのうちから選択する報知タイミング選択手段と、
　　前記特定表示結果が導出される可能性があることを報知する予告演出を実行する手段であって、該予告演出の演出態様を複数種類の演出態様のうちから選択し、該選択した演出態様により前記予告演出を実行する予告演出実行手段とを備え、
　該予告演出実行手段は、変動表示の態様として前記再変動態様が選択されたときには、識別情報の変動表示の開始から初回の仮停止までの期間、及び１回実行される再変動表示中の期間または複数回実行される再変動表示中の各々の期間に前記予告演出を実行し、
　前記変動態様選択手段は、仮停止させた後に導出される表示結果が前記特定表示結果とは異なる非特定表示結果となる第１再変動態様と、前記特定表示結果となる第２再変動態様のうちから何れかの再変動態様を選択し、
　前記予告演出実行手段は、前記第１再変動態様が選択されたときと前記第２再変動態様が選択されたときとで異なる割合により、前記複数種類の演出態様のうちから何れかの演出態様を選択し、該選択した演出態様により前記予告演出を実行し、
　前記報知タイミング選択手段は、前記変動態様選択手段により選択された変動表示の態様に応じて異なる割合により、前記第１タイミングと前記第２タイミングとのうちから前記再変動情報を報知するタイミングを選択する
　ことを特徴とする遊技機。」
　
３　刊行物の記載
　当審における拒絶の理由に刊行物１として提示された特開２００８−１９４０６９号公報（以下「刊行物１」という。）には、図面とともに以下の事項が記載されている（下線は審決で付した。以下同じ。）。
　ア　「【特許請求の範囲】
【請求項１】
　
始動条件の成立にもとづいて各々を識別可能な複数種類の識別情報の変動表示を行い表示結果を停止表示する複数の可変表示部を有する可変表示装置を備え、変動表示の停止結果として特定の識別情報の組み合せが停止表示されたときに遊技者にとって有利な特定遊技状態に制御可能な遊技機であって、
　
前記停止表示以前に前記停止結果を前記特定の識別情報の組み合せとするか否かを決定する事前決定手段と、
　
前記事前決定手段の決定にもとづいて、前記可変表示装置における識別情報の変動パターンを決定する変動パターン決定手段と、
　
前記変動パターン決定手段が決定した変動パターンにもとづいて、前記可変表示装置の識別情報を変動表示させ、表示結果を停止表示させる表示制御手段と、を備え、
　
前記表示制御手段は、
　
前記全ての可変表示部の識別情報を仮停止させた後、前記全ての可変表示部の識別情報の再変動を開始させる全再変動態様を１回または複数回行う複数回変動パターンを実行させる複数回変動パターン実行手段と、
　
前記識別情報の変動中であって、前記全ての識別情報が仮停止していないときに、前記全再変動態様が行われるか否かを予告する全再変動継続予告手段と、を含む
　ことを特徴とする
遊技機
【請求項２】
　
前記全再変動継続予告手段は、第１全再変動継続予告手段と、該第１全再変動継続予告手段による予告が行われた場合よりも前記全再変動態様が実施される割合の高いことを予告する第２全再変動継続予告手段と、を含む
　
　イ　「【発明が解決しようとする課題】
【０００９】
　本発明は、上記実状に鑑みてなされたものであり、再変動を複数回繰り返す遊技機において、
遊技者の興趣が向上する遊技機を提供する
　
　ウ　「【課題を解決するための手段】
【００１０】
　本発明による遊技機は、始動条件の成立（例えば、始動入賞口１４に入賞すること）にもとづいて各々を識別可能な複数種類の識別情報（例えば左・中・右の飾り図柄）の変動表示を行い表示結果を停止表示する複数の可変表示部（例えば、左・中・右の表示領域）を有する可変表示装置（例えば可変表示装置９）を備え、変動表示の停止結果として特定の識別情報の組み合せ（例えば大当り図柄）が停止表示されたときに遊技者にとって有利な特定遊技状態（例えば大当り遊技状態）に制御可能な遊技機（例えばパチンコ遊技機１）であって、停止表示以前に停止結果を特定の識別情報の組み合せとするか否かを決定する事前決定手段（例えば、遊技制御用マイクロコンピュータ５６０におけるステップＳ５７〜Ｓ５９を実行する部分）と、事前決定手段の決定にもとづいて、可変表示装置における識別情報の変動パターンを決定する変動パターン決定手段（例えば、遊技制御用マイクロコンピュータ５６０におけるステップＳ２０１〜Ｓ２０７を実行する部分）と、変動パターン決定手段が決定した変動パターンにもとづいて、可変表示装置の識別情報を変動表示させ、表示結果を停止表示させる
表示制御手段（例えば、演出制御用マイクロコンピュータ１００）と、を備え、表示制御手段は
全ての識別情報が仮停止していないときに、全再変動態様が行われるか否かを予告する全再変動継続予告手段（例えば、演出制御用マイクロコンピュータ１００におけるステップＳ１２２４〜Ｓ１２３１の処理を実行する部分）
を含む
【００１１】
　また、
全再変動継続予告手段は、第１全再変動継続予告手段
第１擬似連続予告演出図柄により擬似連続予告演出を実施する部分
と、該第１全再変動継続予告手段による予告が行われた場合よりも全再変動態様が実施される割合の高いことを予告する第２全再変動継続予告手段
第２擬似連続予告演出図柄により擬似連続予告演出を実施する部分
と、を含む
　
　エ　「【００６６】
（２−３）この実施の形態では、
大当りとなること又は大当りとなる可能性が高いことを遊技者に報知（予告）するために
特殊な組み合わせを停止表示する演出を実行する
特殊な組み合わせを、演出上のチャンス目と呼んでいる
【００６７】
　図５に示すように、
チャンス目として、６種類のチャンス目
が設けられて
チャンス目で仮停止を複数回繰り返した後に、スーパーリーチに発展する変動パターンも用意される
仮停止からの再変動を擬似連続変動という
擬似連続変動は最大４回まで実施され、擬似連続変動を含む変動パターンでは、擬似連続変動の回数が多いほど大当りの発生する割合が高くなる
擬似連続予告演出
擬似連続変動が継続する信頼度が異なる第１擬似連続予告演出図柄（継続の信頼度５０％）と第２擬似連続予告演出図柄（継続の信頼度１００％）とが用意されている
【００６８】
　はずれ図柄を決定したときに、決定したはずれ図柄が偶然にチャンス目になってしまうことが起こり得る。この場合、チャンス目が停止表示されると、スーパーリーチに発展しないのに遊技者にスーパーリーチに発展する（大当りの可能性が高い）との誤解を与えてしまうおそれがある。このような誤解を回避するために、この実施の形態では、チャンス目と同じ図柄をはずれ図柄として停止表示するのを禁止する制御が実行される。」
　
　オ　「【０１４７】
　
図１３〜図１５は
変動パターンの一例を示す説明図である
【０１４８】
　この例では、各変動パターンは、飾り図柄の停止図柄が通常時（時短状態でないとき、確変状態を含む）に「はずれ図柄」となる場合の変動パターン（
通常時はずれ専用の変動パターン
・・・
【０１５２】
　図中の
「擬似連続」
変動パターン
「擬似連続」には、「チャンス目」と「すべり」とが用意される
【０１５３】
　
「擬似連続」のうち
「チャンス目」とは、所定回数演出上のチャンス目が仮停止表示されてからスーパーリーチに発展する変動パターンである
【０１５４】
　また、図中の
「すべり」とは、所定回数、演出上のチャンス目が仮停止表示されるか、すべり演出後の仮停止表示が行われてからスーパーリーチに発展する変動パターンである
滑り演出を実施した後、
スーパーリーチに発展しなくてもよく
　
　カ　「【０１９４】
　
通常時パターン決定処理（ステップＳ２０２）または時短時パターン決定処理（ステップＳ２０３）
決定した変動パターン決定テーブルを用いて図柄の変動パターンを決定する
　
　キ　「【０３３２】
　次に、
演出制御用マイクロコンピュータ１００は、受信した変動パターンコマンドの内容
が
擬似連続変動を伴う変動パターンである場合
通常変動の停止時にチャンス目が仮停止表示されるか、すべり演出が実施された後に所定に図柄が仮停止表示され、その後にスーパーリーチに発展する演出が実行される
【０３３３】
　
擬似連続変動を伴う変動パターンであった場合は
演出制御用マイクロコンピュータ１００は、仮停止図柄決定処理を実行する
【０３３４】
　
図５１、図５２および図５３は、仮停止図柄決定処理を示すフローチャートである
演出制御用マイクロコンピュータ１００は、格納した仮停止図柄の数を示す仮停止図柄カウンタＮに「０」をセットする
チャンス目で仮停止する変動パターンのとき、演出制御用マイクロコンピュータ１００は、
演出制御用マイクロコンピュータ１００は、抽出した乱数値に従って、
チャンス目選択用テーブル
を用いてチャンス目を決定し
　
　ク　「【０３３７】
　また、
すべり演出を伴う変動パターンであるとき（ステップＳ１２０３のＹ）、
・・・
【０３４４】
　仮停止右図柄選択用テーブル（Ｓ−３）では、
すべり演出実施前にリーチ状態としないときは、仮停止図柄をチャンス目とする
仮停止図柄がリーチ無しのはずれ図柄（ドハズレ図柄）となる図柄
リーチ状態からすべり演出が実施される場合、仮停止図柄がチャンス目とならない場合がある
例えば、大当りであるときにチャンス目となる割合を高くすれば、リーチ状態からのすべり演出後にチャンス目が表示されたことで遊技者に期待感を与えることができ、遊技性が向上する
　
　ケ　「【０３５１】
　ステップＳ１２２４において、演出制御用マイクロコンピュータ１００は、擬似連続予告演出用乱数を抽出する（ステップＳ１２２４）。そして、演出制御用マイクロコンピュータ１００は、抽出した乱数値に従って、図６７に示す擬似連続予告演出実施選択用テーブルを用いて
擬似連続予告演出を実施するか否かを決定する
【０３５２】
　擬似連続予告演出実施選択用テーブルには、図６７に示すように、仮停止図柄カウンタＮの値が擬似連続回数Ｍの値と等しいか否かによって擬似連続予告演出を実施する割合が異なるように判定値が割り振られている。演出制御用マイクロコンピュータ１００は、抽出した乱数値により擬似連続予告演出を実施するか否かを決定する。擬似連続予告演出実施選択用テーブルは、表示結果が大当りであるかはずれであるかによって異なるテーブルが用意されている。すなわち、表示結果がはずれであるときに用いられる図６７（Ａ）に示す擬似連続予告演出実施選択用テーブル（はずれ用）と、表示結果が大当たりであるときに用いられる図６７（Ｂ）に示す擬似連続予告演出実施選択用テーブル（大当り用）と、が用意されている。擬似連続予告演出実施選択用テーブル（はずれ用）と擬似連続予告演出実施選択用テーブル（大当り用）とでは、異なる判定値が割り振られており、表示結果が大当りであるときにはずれであるときよりも擬似連続予告演出を実施する割合が高くなるように判定値が割り振られている。このように、大当りとなるときに擬似連続予告演出が実施される割合を高くしているので、擬似連続予告演出に対する遊技者の期待感を高めることができる。
【０３５３】
　ステップＳ１２２６において、演出制御用マイクロコンピュータ１００は、擬似連続予告演出を実施することに決定されたか否かを判定する（ステップＳ１２２６）。
擬似連続予告演出を実施することに決定された場合
演出制御用マイクロコンピュータ１００は
抽出した乱数値に従って
擬似連続予告演出図柄を決定し、Ｎ＋１番目の仮停止の後に表示する擬似連続予告演出図柄として格納する
【０３５４】
　擬似連続予告演出図柄選択用テーブルには、図６８に示すように、第１擬似連続予告演出図柄と第２擬似連続予告演出図柄とに判定値が割り振られている。演出制御用マイクロコンピュータ１００は、抽出した乱数値により擬似連続予告演出図柄を決定する。ここで、
第１擬似連続予告演出図柄
は、擬似連続変動が継続する可能性が５０％であることを示す図柄である
第２擬似連続予告演出図柄
は、擬似連続変動が継続する可能性が１００％であることを示す図柄である
擬似連続予告演出図柄選択用テーブル（はずれ用）と擬似連続予告演出図柄選択用テーブル（大当り用）とでは、異なる判定値が割り振られており、表示結果が大当りであるときにはずれであるときよりも第２擬似連続予告演出図柄を選択する割合が高くなるように判定値が割り振られている
【０３５５】
　ステップＳ１２２８において、演出制御用マイクロコンピュータ１００は、擬似連続予告演出用乱数を抽出する（ステップＳ１２２８）。そして、演出制御用マイクロコンピュータ１００は、抽出した乱数値に従って、図６７に示す擬似連続予告演出実施選択用テーブルを用いて、擬似連続予告演出を実施するか否かを決定する（ステップＳ１２２９）。そして、演出制御用マイクロコンピュータ１００は、擬似連続予告演出を実施することに決定されたか否かを判定する（ステップＳ１２３０）。擬似連続予告演出を実施することに決定された場合（ステップＳ１２３０のＹ）、Ｎ＋１番目の仮停止の後に表示する擬似連続予告演出図柄として、第１擬似連続予告演出図柄を決定し格納する（ステップＳ１２３１）。その後、処理を終了する。このように、仮停止図柄カウンタＮの値が擬似連続回数Ｍの値と等しいとき、すなわち、擬似連続変動が継続しない場合であっても第１擬似連続予告演出図柄を決定可能である。
【０３５６】
　以上の仮停止図柄決定処理により、１または複数の仮停止図柄を決定・格納することができ、また、擬似連続予告演出を実施するか否か、擬似連続予告演出図柄の種別を決定・格納することができる。」
　
　コ　「【０４７３】
　図１１３は、可変表示装置９において実行される擬似連続予告演出（第２擬似連続予告演出図柄）の表示例を示す説明図である。図１１３（Ａ）は可変表示装置９の変動前の状態を示している。このとき、図１４における「擬似連続２回」の変動パターンコマンド（変動番号「８１」〜「８７」）を受信すると、演出制御用マイクロコンピュータ１００は、図１１３（Ｂ）に示すように、可変表示装置９の飾り図柄の変動表示を開始する。演出制御用マイクロコンピュータ１００が、仮停止図柄決定処理（図５１〜図５３）を実行することで１回目の仮停止図柄として図５に示す「２Ｃ」のチャンス目を決定・格納し（ステップＳ１２０５、またはステップＳ１２２１）、その後に第２擬似連続予告演出図柄により擬似連続予告演出を実施することに決定し（ステップＳ１２２５、ステップＳ１２２６のＹ、ステップＳ１２２７）、２回目の仮停止図柄として「２Ｃ」のチャンス目を決定・格納した場合、図１１３（Ｃ）に示すように、演出制御用マイクロコンピュータ１００は、チャンス目「３７５」で１回目の仮停止を行う。その後、演出制御用マイクロコンピュータ１００は、図１１３（Ｄ）に示すように、飾り図柄の再変動を開始させて、図１１３（Ｅ）に示すように擬似連続変動が１００％継続することを示す第２
擬似連続予告演出図柄
を
表示させる
【０４７４】
　図１１４は、可変表示装置９において実行される擬似連続予告演出（第１擬似連続予告演出図柄）の表示例を示す説明図である。図１１４（Ａ）は可変表示装置９の変動前の状態を示している。このとき、図１４における「擬似連続２回」の変動パターンコマンド（変動番号「８１」〜「８７」）を受信すると、演出制御用マイクロコンピュータ１００は、図１１４（Ｂ）に示すように、可変表示装置９の飾り図柄の変動表示を開始する。演出制御用マイクロコンピュータ１００が、仮停止図柄決定処理（図５１〜図５３）を実行することで１回目の仮停止図柄として図５に示す「２Ｃ」のチャンス目を決定・格納し（ステップＳ１２０５、またはステップＳ１２２１）、その後に第１擬似連続予告演出図柄により擬似連続予告演出を実施することに決定し（ステップＳ１２２５、ステップＳ１２２６のＹ、ステップＳ１２２７）、２回目の仮停止図柄として「２Ｃ」のチャンス目を決定・格納した場合、図１１４（Ｃ）に示すように、演出制御用マイクロコンピュータ１００は、チャンス目「３７５」で１回目の仮停止を行う。その後、演出制御用マイクロコンピュータ１００は、図１１４（Ｄ）に示すように、飾り図柄の再変動を開始させて、図１１４（Ｅ）に示すように、擬似連続変動が５０％継続することを示す第１
擬似連続予告演出図柄
を
表示させる
　
　サ　「【０４７９】
　また、上記実施の形態では、
可変表示装置９において飾り図柄が変動中であって、全て（左中右）の図柄が仮停止していないときに擬似連続予告演出を行っていたが
、これに限定されず、例えば、左図柄が仮停止したときや左右図柄が仮停止した時点で行うようにしてもよい
・・・
【０４８１】
　以上のように、この実施の形態１では、図１１３および図１１４にて説明したように、
擬似連続予告演出によって、飾り図柄が仮停止する前に擬似連続変動が継続することを予告することができる
・・・
【０４８７】
  また、擬似連続変動が継続するときに、演出制御用マイクロコンピュータ１００は、仮停止図柄決定処理において仮停止図柄としてチャンス目を決定可能である。すなわち、図５１および図５２に示す仮停止図柄決定処理のステップＳ１２０４、Ｓ１２０５またはＳ１２２０、Ｓ１２２１にてチャンス目を決定可能である。
表示結果がチャンス目となることにより、遊技者は擬似連続変動が継続することを認識できるので、遊技性の向上が図れる
　
　シ　「【０５２７】
　上記の各実施の形態において、チャンス目が連続して停止表示された場合に、連続してチャンス目が停止表示された回数に応じて大当りになる可能性の高いスーパーリーチに発展させるようにしてもよい。なお、連続してチャンス目が停止表示されることを擬似連続予告あるいは擬似連続変動という。例えば、チャンス目が１回停止表示されると、スーパーリーチＡ（大当りの可能性が比較的低いスーパーリーチ）に発展させ、チャンス目が連続して２回停止表示された場合（具体的には、通常変動からチャンス目が停止表示され、再び通常変動からチャンス目が停止表示された場合）に、スーパーリーチＢに発展させ、チャンス目が連続して３回停止表示された場合に、スーパーリーチＣに発展させ、チャンス目が連続して４回停止表示された場合に、スーパーリーチＤ（大当りの可能性が最も高いスーパーリーチ）に発展させるようにしてもよい。また、スーパーリーチへの発展パターンの異なる複数種類チャンス目を用意してもよい。また、チャンス目の表示後にスーパーリーチに発展させる場合において、チャンス目が停止表示された後に通常変動を行い、その後に左図柄および右図柄を順に停止させてスーパーリーチに発展させる場合であっても、またはチャンス目が停止表示された後に通常変動を行わずに、直接（突然）、スーパーリーチに発展させる場合であってもよい。」
　
　ス　上記アの「【請求項１】・・・
前記表示制御手段は、前記全ての可変表示部の識別情報を仮停止させた後、前記全ての可変表示部の識別情報の再変動を開始させる全再変動態様を１回または複数回行う複数回変動パターンを実行させる複数回変動パターン実行手段と
を含む
　上記ウの「【００１０】・・・
表示制御手段（例えば、演出制御用マイクロコンピュータ１００）と、を備え
　上記キの「【０３３２】次に、
演出制御用マイクロコンピュータ１００は、受信した変動パターンコマンドの内容
が
擬似連続変動を伴う変動パターンである場合
通常変動の停止時に
すべり演出が実施され
　及び、ステップＳ１２２４〜Ｓ１２３１に関連した【図５１】〜【図５３】の図示内容から、
　刊行物１には、
表示制御手段は、受信した変動パターンコマンドの内容が擬似連続変動を伴う変動パターンである場合、全ての可変表示部の識別情報を仮停止させた後、全ての可変表示部の識別情報の再変動を開始させる全再変動態様を１回または複数回行う複数回変動パターンを実行させる複数回変動パターン実行手段を備えること
　
　セ　上記アの「【請求項１】・・・
前記表示制御手段は、・・・前記識別情報の変動中であって、前記全ての識別情報が仮停止していないときに、前記全再変動態様が行われるか否かを予告する全再変動継続予告手段と、を含む
　上記ウの「【００１０】・・・
表示制御手段（例えば、演出制御用マイクロコンピュータ１００）と、を備え、表示制御手段は
全ての識別情報が仮停止していないときに、全再変動態様が行われるか否かを予告する全再変動継続予告手段（例えば、演出制御用マイクロコンピュータ１００におけるステップＳ１２２４〜Ｓ１２３１の処理を実行する部分）
を含む
　上記キの「【０３３２】次に、
演出制御用マイクロコンピュータ１００は、受信した変動パターンコマンドの内容
が
擬似連続変動を伴う変動パターンである場合
通常変動の停止時に
すべり演出が実施され
　上記クの「【０３３７】また、
すべり演出を伴う変動パターンであるとき（ステップＳ１２０３のＹ）、
　上記コの「【０４７３】・・・演出制御用マイクロコンピュータ１００は、図１１３（Ｄ）に示すように、飾り図柄の再変動を開始させて、図１１３（Ｅ）に示すように擬似連続変動が１００％継続することを示す第２
擬似連続予告演出図柄
を
表示させる
擬似連続予告演出図柄
を
表示させる
　及び、【図５１】〜【図５３】の図示内容からみて、
　刊行物１には、
表示制御手段は、受信した変動パターンコマンドの内容が擬似連続変動を伴う変動パターンである場合、さらに、すべり演出を伴う変動パターンであると判定されると、識別情報の変動中であって、全ての識別情報が仮停止していないときに、全再変動態様が行われるか否かを予告する擬似連続予告演出図柄を表示させる全再変動継続予告手段を備えること
　
　ソ　上記ウの「【００１０】・・・
表示制御手段（例えば、演出制御用マイクロコンピュータ１００）
　上記キの「【０３３２】次に、
演出制御用マイクロコンピュータ１００は、受信した変動パターンコマンドの内容
が
擬似連続変動を伴う変動パターンである場合
擬似連続変動を伴う変動パターンであった場合は
演出制御用マイクロコンピュータ１００は、仮停止図柄決定処理を実行する
図５１、図５２および図５３は、仮停止図柄決定処理を示すフローチャートである
格納した仮停止図柄の数を示す仮停止図柄カウンタＮに「０」をセットする
　及び、上記ケの「【０３５１】そして、
演出制御用マイクロコンピュータ１００は
擬似連続予告演出を実施するか否かを決定する
擬似連続予告演出を実施することに決定された場合
演出制御用マイクロコンピュータ１００は
抽出した乱数値に従って
擬似連続予告演出図柄選択用テーブルを用いて擬似連続予告演出図柄を決定し、Ｎ＋１番目の仮停止の後に表示する擬似連続予告演出図柄として格納する
　これらの記載、及び【図５１】〜【図５３】の図示内容からみて、刊行物１には、【図５３】のステップＳ１２２５、または、Ｓ１２２９において、Ｎ＋１番目の飾り図柄の仮停止後に、擬似連続予告演出を実施するか否かを決定し、実施すると決定された場合、さらに、ステップＳ１２２７、または、ステップＳ１２３１において、擬似連続予告演出図柄選択用テーブルを用いて、擬似連続予告演出図柄を決定すると共に、その決定以降のサイクルにおけるステップＳ１２０６、または、ステップＳ１２２２において、仮停止図柄カウンタＮを＋１して同様の仮停止図柄決定処理を行うものである。
　したがって、刊行物１には、仮停止図柄決定処理において、
Ｎ（初期値は０である）＋１番目の飾り図柄の仮停止の後で、かつ、Ｎ＋２番目の飾り図柄が仮停止する前に
表示する擬似連続予告演出図柄を決定する
　ゆえに、刊行物１には、
表示制御手段は、受信した変動パターンコマンドの内容が擬似連続変動を伴う変動パターンである場合、仮停止図柄決定処理において、Ｎ（初期値は０である）＋１番目の飾り図柄の仮停止の後で、かつ、Ｎ＋２番目の飾り図柄が仮停止する前に、擬似連続予告演出を実施するか否かを決定し、擬似連続予告演出を実施することに決定された場合に表示する擬似連続予告演出図柄を、抽出した乱数値に従って、擬似連続予告演出図柄選択用テーブルを用いて決定する
　
　タ　上記アの「【請求項２】
前記表示制御手段は、・・・前記識別情報の変動中であって、前記全ての識別情報が仮停止していないときに、前記全再変動態様が行われるか否かを予告する全再変動継続予告手段と、を含む
　上記ウの「【００１０】・・・
表示制御手段（例えば、演出制御用マイクロコンピュータ１００）
　上記エの「【００６６】（２−３）この実施の形態では、
大当りとなること又は大当りとなる可能性が高いことを遊技者に報知（予告）するために
特殊な組み合わせを停止表示する演出を実行する
特殊な組み合わせを、演出上のチャンス目と呼んでいる
チャンス目として、６種類のチャンス目
が設けられて
　及び、上記キの「【０３３２】次に、
演出制御用マイクロコンピュータ１００は、受信した変動パターンコマンドの内容
が
擬似連続変動を伴う変動パターンである場合
通常変動の停止時にチャンス目が仮停止表示され
チャンス目で仮停止する変動パターンのとき、演出制御用マイクロコンピュータ１００は、
演出制御用マイクロコンピュータ１００は、抽出した乱数値に従って、
チャンス目選択用テーブル
を用いてチャンス目を決定し
　刊行物１には、
表示制御手段は、受信した変動パターンコマンドの内容が擬似連続変動を伴う変動パターンである場合、さらに、チャンス目で仮停止する変動パターンであると判定されると、抽出した乱数値に従って、チャンス目選択用テーブルを用いて、６種類のチャンス目から１つのチャンス目を決定し、決定されたチャンス目で仮停止する演出を実行することにより、大当りとなること又は大当りとなる可能性が高いことを遊技者に報知（予告）すること
　
　チ　上記アの「【請求項１】
前記表示制御手段は、・・・前記識別情報の変動中であって、前記全ての識別情報が仮停止していないときに、前記全再変動態様が行われるか否かを予告する全再変動継続予告手段と、を含む
　上記ウの「【００１０】・・・
表示制御手段（例えば、演出制御用マイクロコンピュータ１００）
　上記エの「【００６６】（２−３）この実施の形態では、
大当りとなること又は大当りとなる可能性が高いことを遊技者に報知（予告）するために
特殊な組み合わせを停止表示する演出を実行する
特殊な組み合わせを、演出上のチャンス目と呼んでいる
チャンス目として、６種類のチャンス目
が設けられて
チャンス目で仮停止を複数回繰り返した後に、スーパーリーチに発展する変動パターンも用意される
仮停止からの再変動を擬似連続変動という
擬似連続変動は最大４回まで実施され、擬似連続変動を含む変動パターンでは、擬似連続変動の回数が多いほど大当りの発生する割合が高くなる
　及び、上記キの「【０３３２】次に、
演出制御用マイクロコンピュータ１００は、受信した変動パターンコマンドの内容
が
擬似連続変動を伴う変動パターンである場合
通常変動の停止時にチャンス目が仮停止表示される
チャンス目で仮停止する変動パターンのとき、演出制御用マイクロコンピュータ１００は、
演出制御用マイクロコンピュータ１００は、抽出した乱数値に従って、
チャンス目選択用テーブル
を用いてチャンス目を決定し
　刊行物１には、
表示制御手段は、受信した変動パターンコマンドの内容が擬似連続変動を伴う変動パターンである場合、さらに、チャンス目で仮停止する変動パターンであると判定されると、チャンス目で仮停止を複数回繰り返し行い、言い換えると、仮停止後からの再変動である擬似連続変動を最大４回まで実施すること
　
　ツ　上記ウの「【００１１】また、
全再変動継続予告手段は、第１全再変動継続予告手段
第１擬似連続予告演出図柄により擬似連続予告演出を実施する部分
と、該第１全再変動継続予告手段による予告が行われた場合よりも全再変動態様が実施される割合の高いことを予告する第２全再変動継続予告手段
第２擬似連続予告演出図柄により擬似連続予告演出を実施する部分
と、を含む
　及び、上記エの「【００６７】・・・この
擬似連続予告演出
擬似連続変動が継続する信頼度が異なる第１擬似連続予告演出図柄（継続の信頼度５０％）と第２擬似連続予告演出図柄（継続の信頼度１００％）とが用意されている
　刊行物１には、
全再変動継続予告手段は、第１全再変動継続予告手段（擬似連続変動が継続する信頼度が５０％である第１擬似連続予告演出図柄により擬似連続予告演出を実施する部分）と、該第１全再変動継続予告手段による予告が行われた場合よりも全再変動態様が実施される割合の高いことを予告する第２全再変動継続予告手段（擬似連続変動が継続する信頼度が１００％である第２擬似連続予告演出図柄により擬似連続予告演出を実施する部分）とを備えること
　
　テ　上記アの「【請求項２】
前記全再変動継続予告手段は、第１全再変動継続予告手段と、該第１全再変動継続予告手段による予告が行われた場合よりも前記全再変動態様が実施される割合の高いことを予告する第２全再変動継続予告手段と、を含む
　上記ウの「【００１１】また、
全再変動継続予告手段は、第１全再変動継続予告手段
第１擬似連続予告演出図柄により擬似連続予告演出を実施する
と、該第１全再変動継続予告手段による予告が行われた場合よりも全再変動態様が実施される割合の高いことを予告する第２全再変動継続予告手段
第２擬似連続予告演出図柄により擬似連続予告演出を実施する
と、を含む
　及び、上記サの「【０４７９】また、上記実施の形態では、
可変表示装置９において飾り図柄が変動中であって、全て（左中右）の図柄が仮停止していないときに擬似連続予告演出を行っていた
　刊行物１には、
全再変動継続予告手段により実施される、第１擬似連続予告演出図柄、及び、第２擬似連続予告演出図柄による擬似連続予告演出を、可変表示装置９において飾り図柄が変動中であって、全て（左中右）の図柄が仮停止していないときに行うこと
　
　ト　上記オの記載事項、及び、【図１３】〜【図１５】の図示内容によると、刊行物１には、
変動パターン決定手段は、「擬似連続」変動パターンとして、通常時はずれ専用の「擬似連続」変動パターン２７〜４１と、通常時大当り用の「擬似連続」変動パターン７６〜９９とを含む変動パターンのうちから、いずれかを選択可能とする
　ナ　上記ア〜シの記載事項、及び、上記ス〜トの認定事項を総合すると、刊行物１には、次の発明が記載されていると認められる（以下「刊行物発明」という。）。
「始動条件の成立にもとづいて各々を識別可能な複数種類の識別情報の変動表示を行い、表示結果を停止表示する複数の可変表示部を有する可変表示装置を備え、変動表示の停止結果として特定の識別情報の組み合せが停止表示されたときに遊技者にとって有利な特定遊技状態に制御可能な遊技機であって、
　停止表示以前に停止結果を特定の識別情報の組み合せとするか否かを決定する事前決定手段と、
　事前決定手段の決定にもとづいて、可変表示装置における識別情報の変動パターンを決定する変動パターン決定手段と、
　変動パターン決定手段が決定した変動パターンにもとづいて、可変表示装置の識別情報を変動表示させ、表示結果を停止表示させる表示制御手段と、を備え、
　
　表示制御手段は、受信した変動パターンコマンドの内容が擬似連続変動を伴う変動パターンである場合、
　　通常変動の停止時にチャンス目が仮停止表示されるか、すべり演出が実施された後に所定の図柄が仮停止表示され、その後にスーパーリーチに発展する演出が実行され、
　　全ての可変表示部の識別情報を仮停止させた後、全ての可変表示部の識別情報の再変動を開始させる全再変動態様を１回または複数回行う複数回変動パターンを実行させる複数回変動パターン実行手段を備え、
　　さらに、すべり演出を伴う変動パターンであると判定されると、識別情報の変動中であって、全ての識別情報が仮停止していないときに、全再変動態様が行われるか否かを擬似連続予告演出図柄を表示させることで予告する全再変動継続予告手段を備え、
　　仮停止図柄決定処理において、Ｎ（初期値は０である）＋１番目の飾り図柄の仮停止の後で、かつ、Ｎ＋２番目の飾り図柄が仮停止する前に、擬似連続予告演出を実施するか否かを決定し、擬似連続予告演出を実施することに決定された場合に表示する擬似連続予告演出図柄を、抽出した乱数値に従って、擬似連続予告演出図柄選択用テーブルを用いて決定し、
　　さらに、チャンス目で仮停止する変動パターンであると判定されると、
　　　抽出した乱数値に従って、チャンス目選択用テーブルを用いて、６種類のチャンス目から１つのチャンス目を決定し、決定されたチャンス目で仮停止する演出を実行することにより、大当りとなること又は大当りとなる可能性が高いことを遊技者に報知（予告）し、
　　　チャンス目で仮停止を複数回繰り返し行い、言い換えると、仮停止後からの再変動である擬似連続変動を最大４回まで実施し、
　　　
　全再変動継続予告手段は、第１全再変動継続予告手段（擬似連続変動が継続する信頼度が５０％である第１擬似連続予告演出図柄により擬似連続予告演出を実施する部分）と、該第１全再変動継続予告手段による予告が行われた場合よりも全再変動態様が実施される割合の高いことを予告する第２全再変動継続予告手段（擬似連続変動が継続する信頼度が１００％である第２擬似連続予告演出図柄により擬似連続予告演出を実施する部分）とを備え、
　
　全再変動継続予告手段により実施される、第１擬似連続予告演出図柄、及び、第２擬似連続予告演出図柄による擬似連続予告演出を、可変表示装置９において飾り図柄が変動中であって、全て（左中右）の図柄が仮停止していないときに行い、
　
　変動パターン決定手段は、「擬似連続」変動パターンとして、通常時はずれ専用の「擬似連続」変動パターン２７〜４１と、通常時大当り用の「擬似連続」変動パターン７６〜９９とを含む変動パターンのうちから、いずれかを選択可能とし、
　
　擬似連続予告演出図柄選択用テーブル（はずれ用）と擬似連続予告演出図柄選択用テーブル（大当り用）とでは、表示結果が大当りであるときにはずれであるときよりも第２擬似連続予告演出図柄を選択する割合が高くなるように判定値が割り振られ、
　
　擬似連続変動を含む変動パターンでは、擬似連続変動の回数が多いほど大当りの発生する割合が高くなる
　遊技機。」
　
４　対比
　本願発明と刊行物発明とを対比する。
　ア　刊行物発明における「始動条件の成立にもとづいて各々を識別可能な複数種類の識別情報の変動表示を行」うことは、本願発明における「複数種類の識別情報を変動表示させ」ることに相当する。
　
　イ　刊行物発明における「変動表示の停止結果として特定の識別情報の組み合せが停止表示されたときに遊技者にとって有利な特定遊技状態に制御可能な遊技機」と、
　本願発明における「特定表示結果が導出されたときに遊技者にとって有利な有利状態に制御可能な遊技機」とを対比する。
　刊行物発明における「変動表示の停止結果として特定の識別情報の組み合せが停止表示されたとき」は、本願発明における「特定表示結果が導出されたとき」に相当する。
　刊行物発明における「遊技者にとって有利な特定遊技状態」は、本願発明における「遊技者にとって有利な有利状態」に相当する。
　したがって、刊行物発明における「遊技者にとって有利な特定遊技状態に制御可能な遊技機」は、本願発明における「遊技者にとって有利な有利状態に制御する遊技機」に相当する。
　
　ウ　刊行物発明における「事前決定手段の決定にもとづいて、可変表示装置における識別情報の変動パターンを決定する変動パターン決定手段」と、　本願発明における「変動表示の表示結果が導出されるまでに識別情報の変動表示の態様を選択する変動態様選択手段」とを対比する。
　刊行物発明における「識別情報の変動パターンを決定する」ことは、本願発明における「識別情報の変動表示の態様を選択する」ことに相当する。
　したがって、刊行物発明における「変動パターン決定手段」は、本願発明における「変動態様選択手段」に相当する。
　
　エ　刊行物発明における「変動パターン決定手段が決定した変動パターンにもとづいて、可変表示装置の識別情報を変動表示させ、表示結果を停止表示させる表示制御手段」は、「表示制御手段」が「識別情報を変動表示させ」、「表示結果を停止表示させる」ことにより「変動表示演出」の制御を行うものであるから、本願発明における「変動態様選択手段により選択された変動表示の態様に従って識別情報を変動表示させ、表示結果を導出させる変動表示演出を含む演出の実行を制御する演出制御手段」に相当する。
　
　オ　刊行物発明における「表示制御手段は、受信した変動パターンコマンドの内容が擬似連続変動を伴う変動パターンである場合」「全ての可変表示部の識別情報を仮停止させた後、全ての可変表示部の識別情報の再変動を開始させる全再変動態様を１回または複数回行う複数回変動パターンを実行させる複数回変動パターン実行手段」を備えることと、
　本願発明における「演出制御手段は、変動表示の態様として再変動態様が選択されたときに、識別情報の変動表示が開始されてから表示結果が導出されるまでに一旦仮停止させた後に全ての識別情報を再度変動表示させる再変動表示を所定回実行する再変動表示実行手段」を備えることとを対比する。
　
　刊行物発明における「擬似連続変動」は、全再変動態様を行う変動パターンであるから、「擬似連続変動を伴う変動パターンである場合」は、本願発明における「変動表示の態様として再変動態様が選択されたとき」に相当する。
　また、刊行物発明における「全再変動態様を１回または複数回行う」ことは、本願発明における「再変動表示を所定回実行する」ことに相当する。
　
　したがって、刊行物発明における「表示制御手段は」、「複数回変動パターン実行手段」を備えることは、本願発明における「再変動表示を所定回実行する再変動表示実行手段」を備えることに相当する。
　
　カ　刊行物発明における「受信した変動パターンコマンドの内容が擬似連続変動を伴う変動パターンである場合、」「さらに、すべり演出を伴う変動パターンであると判定されると、識別情報の変動中であって、全ての識別情報が仮停止していないときに、全再変動態様が行われるか否かを擬似連続予告演出図柄を表示させることで予告する全再変動継続予告手段」を備えることと、
　本願発明における「変動表示の態様として再変動態様が選択されたときに、仮停止よりも前に、該仮停止の後に再度変動表示される可能性があることを予告する所定の再変動情報を遊技者に報知する仮停止前再変動情報報知手段」を備えることとを対比する。
　
　刊行物発明における「受信した変動パターンコマンドの内容が擬似連続変動を伴う変動パターンである場合、」「さらに、すべり演出を伴う変動パターンであると判定される」ときは、「すべり演出を伴う変動パターンであると判定される」ときが「受信した変動パターンコマンドの内容が擬似連続変動を伴う変動パターンである場合」をさらに限定したものであるから、本願発明における「変動表示の態様として再変動態様が選択されたとき」に含まれる。
　そして、刊行物発明における「識別情報の変動中であって、全ての識別情報が仮停止していないとき」は、変動中の識別情報の変動が終了した後に仮停止が行われるものであるから、本願発明における「仮停止よりも前」に相当する。
　また、刊行物発明における「全再変動態様が行われるか否かを」「予告する」ことは、全再変動態様が仮停止後に実行されるか否かを予告するものであるから、本願発明における「仮停止の後に再度変動表示される可能性があることを予告する」ことに相当する。
　さらに、刊行物発明における「擬似連続予告演出図柄を表示させる」ことは、遊技者に対して、全再変動態様が行われるか否かを擬似連続予告演出図柄を表示させることにより知らせることであるから、本願発明における「所定の再変動情報を遊技者に報知する」ことに相当する。
　
　したがって、刊行物発明における「全再変動継続予告手段」は、本願発明における「仮停止前再変動情報報知手段」に相当する。
　
　キ　刊行物発明における「仮停止図柄決定処理において、Ｎ（初期値は０である）＋１番目の飾り図柄の仮停止の後で、かつ、Ｎ＋２番目の飾り図柄が仮停止する前に、擬似連続予告演出を実施するか否かを決定し、擬似連続予告演出を実施することに決定された場合に表示する擬似連続予告演出図柄を、抽出した乱数値に従って、擬似連続予告演出図柄選択用テーブルを用いて決定」することと、
　本願発明における「１回目の仮停止よりも前において、仮停止前再変動情報報知手段により再変動情報を報知することを制限可能な報知制限手段」を備えることとを対比する。
　
　刊行物発明において、「Ｎ（初期値は０である）＋１番目の飾り図柄が仮停止した後で、かつ、Ｎ＋２番目の飾り図柄が仮停止する前に表示する」ことは、Ｎが初期値をとる（Ｎ＝０）ときにＮ＋１＝１となることから、擬似連続予告演出図柄が表示されるのは、１番目の仮停止後となる。
　そして、当該発明特定事項を具備することにより、刊行物発明は、１番目の仮停止より前に擬似連続予告演出図柄を表示させないものであるが、２番目以降の仮停止より前に擬似連続予告演出図柄が表示されることを制限するときと制限しないときとがあるものである。
　ここで、「制限するときと制限しないときとがある」ことは、すなわち、「制限可能である」ことである。
　そして、刊行物発明の「表示制御手段」は、「仮停止図柄決定処理」において「擬似連続予告演出図柄」を「決定」することにより、「全再変動継続予告手段」によって「擬似連続予告演出図柄」を「表示」させることを制限可能であることから、刊行物発明は、本願発明における「仮停止前情報報知手段により所定の情報を報知することを制限可能な報知制限手段」に相当する構成を具備するものである。
　
　ゆえに、刊行物発明における「仮停止図柄決定処理において、Ｎ（初期値は０である）＋１番目の飾り図柄の仮停止の後で、かつ、Ｎ＋２番目の飾り図柄が仮停止する前に、擬似連続予告演出を実施するか否かを決定し、擬似連続予告演出を実施することに決定された場合に表示する擬似連続予告演出図柄を、抽出した乱数値に従って、擬似連続予告演出図柄選択用テーブルを用いて決定」することと、本願発明における「１回目の仮停止よりも前において、仮停止前情報報知手段により所定の情報を報知することを制限可能な報知制限手段」を備えることとは、「仮停止よりも前において、仮停止前情報報知手段により所定の情報を報知することを制限可能な報知制限手段」を備えることで共通する。
　
　ク　刊行物発明における「全再変動継続予告手段により実施される、第１擬似連続予告演出図柄、及び、第２擬似連続予告演出図柄による擬似連続予告演出を、可変表示装置９において飾り図柄が変動中であって、全て（左中右）の図柄が仮停止していないときに行」うことと、
　本願発明における「仮停止前再変動情報報知手段により再変動情報を報知するタイミングを、所定の第１タイミングと該第１タイミングよりも遅く仮停止よりも早い第２タイミングのうちから選択する報知タイミング選択手段」を備えることとを対比する。
　
　刊行物発明における「変表示装置９において飾り図柄が変動中」であるときは、仮停止するより早いタイミングである。
　したがって、刊行物発明は、第１擬似連続予告演出図柄、及び、第２擬似連続予告演出図柄による擬似連続予告演出を行うタイミングを、同じタイミングとするが、仮停止するより早いタイミングとしたものである。
　そして、刊行物発明における「擬似連続予告演出」は、「受信した変動パターンコマンドの内容が擬似連続変動を伴う変動パターンである場合」に「全再変動継続予告手段」により擬似連続予告演出図柄を表示させることで行われるものである。
　
　ゆえに、刊行物発明における「全再変動継続予告手段により実施される、第１擬似連続予告演出図柄、及び、第２擬似連続予告演出図柄による擬似連続予告演出を、可変表示装置９において飾り図柄が変動中であって、全て（左中右）の図柄が仮停止していないときに行」うことと、本願発明における「仮停止前再変動情報報知手段により再変動情報を報知するタイミングを、所定の第１タイミングと該第１タイミングよりも遅く仮停止よりも早い第２タイミングのうちから選択する報知タイミング選択手段」を備えることとは、「仮停止前再変動情報報知手段により再変動情報を報知するタイミングを、仮停止よりも早いタイミングとする」ことで共通する。
　
　ケ　刊行物発明における「抽出した乱数値に従って、チャンス目選択用テーブルを用いて、６種類のチャンス目から１つのチャンス目を決定し、決定されたチャンス目で仮停止する演出を実行することにより、大当りとなること又は大当りとなる可能性が高いことを遊技者に報知（予告）」することと、
　本願発明における「特定表示結果が導出される可能性があることを報知する予告演出を実行する手段であって、該予告演出の演出態様を複数種類の演出態様のうちから選択し、該選択した演出態様により予告演出を実行する予告演出実行手段」を備えることとを対比する。
　
　刊行物発明における「チャンス目」は、「大当りとなること又は大当りとなる可能性が高いことを遊技者に報知（予告）」するものであるから、刊行物発明における「チャンス目で仮停止する演出を実行すること」は、本願発明における「特定表示結果が導出される可能性を報知する予告演出」を実行することに相当する。
　また、「抽出した乱数値に従って、チャンス目選択用テーブルを用いて、６種類のチャンス目から１つのチャンス目を決定」することは、本願発明における「予告演出の演出態様を複数種類の演出態様のうちから選択」することに相当する。
　さらに、刊行物発明において、表示制御手段が、「チャンス目で仮停止する演出を実行する」ための手段を有することは、当業者にとって自明である。
　
　したがって、刊行物発明における「受信した変動パターンコマンドの内容が擬似連続変動を伴う変動パターンである場合、」「さらに、チャンス目で仮停止する変動パターンであると判定されると、抽出した乱数値に従って、チャンス目選択用テーブルを用いて、６種類のチャンス目から１つのチャンス目を決定し、決定されたチャンス目で仮停止する演出を実行することにより、大当りとなること又は大当りとなる可能性が高いことを遊技者に報知（予告）」することは、本願発明における「演出制御手段は」「特定表示結果が導出される可能性があることを報知する予告演出を実行する手段であって、該予告演出の演出態様を複数種類の演出態様のうちから選択し、該選択した演出態様により予告演出を実行する予告演出実行手段」を備えることに相当する。
　
　コ　刊行物発明における「受信した変動パターンコマンドの内容が擬似連続変動を伴う変動パターンである場合」、「さらに、チャンス目で仮停止する変動パターンであると判定されると」、「チャンス目で仮停止を複数回繰り返し行い、言い換えると、仮停止後からの再変動である擬似連続変動を最大４回まで実施」すること、
　本願発明における「予告演出実行手段は、変動表示の態様として再変動態様が選択されたときには、識別情報の変動表示の開始から初回の仮停止までの期間、及び１回実行される再変動表示中の期間または複数回実行される再変動表示中の各々の期間に前記予告演出を実行」することとを対比する。
　
　刊行物発明における「受信した変動パターンコマンドの内容が擬似連続変動を伴う変動パターンである場合、」「さらに、チャンス目で仮停止する変動パターンであると判定される」ときは、「受信した変動パターンコマンドの内容が擬似連続変動を伴う変動パターンである場合」をさらに限定するものであるから、本願発明における「変動表示の態様として再変動態様が選択されたとき」に含まれる。
　
　次に、本願発明における「再変動表示中の期間」がどのような期間であるのかについて検討する。
　本願の発明の詳細な説明には、「次に、リーチ予告演出について説明する。リーチ予告演出は、飾り図柄の変動表示においてリーチ表示態様が出現する可能性があることを示す予告である。リーチ表示態様が出現する変動パターンでは、リーチ表示態様が出現する前の変動表示が行われている間にリーチ予告演出が行われ、リーチ表示態様が出現しない変動パターンでは、リーチ表示態様が出現する可能性が残されているうちの変動表示が行われている間にリーチ予告演出が行われる。
疑似連の変動パターンでは、飾り図柄の変動開始から１回目の仮停止、仮停止から仮停止、仮停止から最終停止までの各変動表示の間で、それぞれリーチ予告演出が行われることがある
リーチ予告演出
　また、本願の発明の詳細な説明には、「一方、後疑似予告は、疑似連の変動パターンで飾り図柄が仮停止したときに、このような仮停止の場合以外には出現し得ないハズレの出目であるチャンス目を表示することにより、仮停止している全ての図柄が再度変動表示した後に、
さらに飾り図柄の仮停止及び変動表示を含む再変動表示
　そして、本願発明は、「識別情報の変動表示の開始から初回の仮停止までの期間、及び所定回実行される再変動表示中の期間に予告演出を実行」するものであり、初回の期間の終了時点を「仮停止」時点とするものである。
　これらのことから、本願発明における「再変動表示中の期間」は、再変動表示の開始時点から仮停止により再変動表示が終了する時点までの期間であると解される。
　
　そうすると、刊行物発明における複数回繰り返される「チャンス目」での仮停止のうちの初回に仮停止する時点は、本願発明における「識別情報の変動表示の開始から初回の仮停止までの期間」に含まれ、同じく、複数回繰り返される「チャンス目」での仮停止のうちの初回の仮停止する時点を除く、２回目以降に仮停止する時点と各仮停止前の再変動を含めた期間は、本願発明における「１回実行される再変動表示中の期間または複数回実行される再変動表示中の各々の期間」に相当する。
　
　また、刊行物発明は、上記ケにおいて検討したように、「チャンス目で仮停止する演出を実行する」ための本願発明の「予告演出実行手段」に相当する構成を有するものである。
　
　したがって、刊行物発明における「受信した変動パターンコマンドの内容が擬似連続変動を伴う変動パターンである場合」、「さらに、チャンス目で仮停止する変動パターンであると判定されると」、「チャンス目で仮停止を複数回繰り返し行い、言い換えると、仮停止後からの再変動である擬似連続変動を最大４回まで実施」することは、本願発明における「予告演出実行手段は、変動表示の態様として再変動態様が選択されたときには、識別情報の変動表示の開始から初回の仮停止までの期間、及び１回実行される再変動表示中の期間または複数回実行される再変動表示中の各々の期間に前記予告演出を実行」することに相当する。
　
　サ　刊行物発明における「変動パターン決定手段は、「擬似連続」変動パターンとして、通常時はずれ専用の「擬似連続」変動パターン２７〜４１と、通常時大当り用の「擬似連続」変動パターン７６〜９９とを含む変動パターンのうちから、いずれかを選択可能とし」たことと、本願発明における「変動態様選択手段は、仮停止させた後に導出される表示結果が特定表示結果とは異なる非特定表示結果となる第１再変動態様と、特定表示結果となる第２再変動態様のうちから何れかの再変動態様を選択」することとを対比する。
　刊行物発明における「通常時はずれ専用の「擬似連続」変動パターン２７〜４１」、「通常時大当り用の「擬似連続」変動パターン７６〜９９」は、それぞれ、本願発明における「表示結果が特定表示結果とは異なる非特定表示結果となる第１再変動態様」、「表示結果が」「特定表示結果となる第２再変動態様」に相当する。
　したがって、刊行物発明における「変動パターン決定手段は、「擬似連続」変動パターンとして、通常時はずれ専用の「擬似連続」変動パターン２７〜４１と、通常時大当り用の「擬似連続」変動パターン７６〜９９とを含む変動パターンのうちから、いずれかを選択可能とし」たことは、本願発明における「変動態様選択手段は、仮停止させた後に導出される表示結果が特定表示結果とは異なる非特定表示結果となる第１再変動態様と、特定表示結果となる第２再変動態様とのうちから何れかの再変動態様を選択」することに相当する。
　
　シ　上記ア〜サより、刊行物発明におけると本願発明とは、
　「複数種類の識別情報を変動表示させ、特定表示結果が導出されたときに遊技者にとって有利な有利状態に制御可能な遊技機であって、
　変動表示の表示結果が導出されるまでに識別情報の変動表示の態様を選択する変動態様選択手段と、
　該変動態様選択手段により選択された変動表示の態様に従って識別情報を変動表示させ、表示結果を導出させる変動表示演出を含む演出の実行を制御する演出制御手段とを備え、
　該演出制御手段は、
　　変動表示の態様として再変動態様が選択されたときに、識別情報の変動表示が開始されてから表示結果が導出されるまでに一旦仮停止させた後に全ての識別情報を再度変動表示させる再変動表示を所定回実行する再変動表示実行手段と、
　　変動表示の態様として前記再変動態様が選択されたときに、仮停止よりも前に、該仮停止の後に再度変動表示される可能性があることを予告する所定の再変動情報を遊技者に報知する仮停止前再変動情報報知手段と、
　　前記再変動態様が選択されたときにおいて仮停止よりも前において、前記仮停止前再変動情報報知手段により前記再変動情報を報知することを制限可能な報知制限手段とを備え、
　　前記仮停止前再変動情報報知手段により前記再変動情報を報知するタイミングを、仮停止よりも早いタイミングとし、
　　前記特定表示結果が導出される可能性があることを報知する予告演出を実行する手段であって、該予告演出の演出態様を複数種類の演出態様のうちから選択し、該選択した演出態様により前記予告演出を実行する予告演出実行手段を備え、
　該予告演出実行手段は、変動表示の態様として前記再変動態様が選択されたときには、識別情報の変動表示の開始から初回の仮停止までの期間、及び１回実行される再変動表示中の期間または複数回実行される再変動表示中の各々の期間に前記予告演出を実行し、
　前記変動態様選択手段は、仮停止させた後に導出される表示結果が前記特定表示結果とは異なる非特定表示結果となる第１再変動態様と、前記特定表示結果となる第２再変動態様のうちから何れかの再変動態様を選択し、
　する遊技機。」
　の点で一致し、以下の点で相違する。
　
［相違点１］
　仮停止前再変動情報報知手段による再変動情報の報知を制限可能な報知制限手段に関して、
　本願発明は、１回目の仮停止よりも前において再変動情報を報知することを制限可能であるのに対して、
　刊行物発明は、２番目以降の仮停止よりも前において再変動情報を報知することを制限可能である点。
　
［相違点２］
　仮停止前再変動情報報知手段により再変動情報を報知するタイミングに関して、
　本願発明は、所定の第１タイミングと該第１タイミングよりも遅く仮停止よりも早い第２タイミングとのうちから選択する報知タイミング選択手段を備え、報知タイミング選択手段は、変動態様選択手段により選択された変動表示の態様に応じて異なる割合により、第１タイミングと第２タイミングとのうちから再変動情報を報知するタイミングを選択するのに対して、
　刊行物発明は、仮停止よりも早いタイミングで所定の情報を報知し、そのタイミングを第１タイミングと第２タイミングとに区別しているが、第１タイミングと第２タイミングとを、変動表示の態様に応じて異なる割合により選択することは特定されていない点。
　
［相違点３］
　予告演出実行手段に関して、
　本願発明は、第１再変動態様が選択されたときと第２再変動態様が選択されたときとで異なる割合により、複数種類の演出態様のうちから何れかの演出態様を選択し、該選択した演出態様により予告演出を実行するのに対して、
　刊行物発明は、特定表示結果が導出される可能性があることを、複数種類のうちから選択した演出態様により予告すると共に、表示結果に応じた第１再変動態様と第２再変動態様とを有し、何れかの再変動態様を選択するものであるが、複数種類の演出態様のうちから何れかの演出態様を、第１再変動態様が選択されたときと第２再変動態様が選択されたときとで異なる割合により選択することは特定されていない点。
　
５　当審の判断
（１）上記相違点１について検討する。
　刊行物発明は、前記４　カ及びキにおいて検討したように２番目以降の仮停止よりも前において、まず、擬似連続予告演出を実施するか否かを決定し、次に、擬似連続予告演出を実施することに決定された場合に表示する擬似連続予告演出図柄を決定することにより、擬似連続変動に伴う再変動が行われることに関する情報を報知することを制限可能とするものであり、１番目の仮停止よりも前においては、擬似連続変動に伴う再変動が行われることに関する情報を報知することを制限するものである。
　
　一方、遊技機の技術分野において、１番目の仮停止よりも前に再変動が発生することを予告報知することは、本願の遡及日前に周知の技術事項である（例えば、特開２００１−２２４７８６号公報の【００４２】、【図４】（ａ）には、全図柄の仮停止前にバッファロー図柄６２０の出現により、仮停止後に再変動が発生することを表示により報知することが記載されている。
　また、特開２００４−４９８８１号公報の【０１６０】〜【０１６４】、【図６】〜【図８】には、全図柄の仮停止前に「再」の再変動図柄が仮停止すると、その後に再変動が発生することが示唆されている。以下「周知の技術事項１」という。）。
　
　このように、刊行物発明は、１番目の仮停止よりも前において、擬似連続変動に伴う再変動が行われることに関する情報を報知することを制限するものであるが、１番目の仮停止よりも前に再変動が発生することを制限せずに予告報知することも、上記周知の技術事項１にみるように、周知の技術事項である。
　
　したがって、刊行物発明において、上記周知の技術事項１に基づき１番目の仮停止よりも前において、擬似連続変動に伴う再変動が行われることに関する情報を報知することを制限したり、制限しなかったりすることは当業者が必要に応じてなし得たものであり、その際に、２番目以降の仮停止よりも前において、擬似連続予告演出を実施するか否かを決定することと同様に、１番目の仮停止よりも前についても、擬似連続変動に伴う再変動が行われることに関する情報を報知することを制限したり、制限しなかったりすることを決定し、上記相違点１に係る本願発明の構成にすることは、当業者が容易に想到し得たものである。
　
（２）上記相違点２について検討する。
　刊行物発明の第２全再変動継続予告手段は、第１全再変動継続予告手段による予告が行われた場合よりも全再変動態様が実施される割合の高いことを予告すると共に、擬似連続予告演出図柄選択用テーブル（はずれ用）と擬似連続予告演出図柄選択用テーブル（大当り用）とに、表示結果が大当りであるときにはずれであるときよりも第２擬似連続予告演出図柄を選択する割合が高くなるように判定値が割り振られているものである。
　また、刊行物発明は、「全再変動継続予告手段により実施される、第１擬似連続予告演出図柄、及び、第２擬似連続予告演出図柄による擬似連続予告演出を、可変表示装置９において飾り図柄が変動中であって、全て（左中右）の図柄が仮停止していないときに行うものであるが、これに限定されず、「例えば、左図柄が仮停止したときや左右図柄が仮停止した時点で行うようにしてもよい。」（前記３　サの【０４７９】を参照。）こと、すなわち、第１擬似連続予告演出図柄、及び、第２擬似連続予告演出図柄による擬似連続予告演出を行うタイミングを、仮停止より早いタイミングの中で、「全ての図柄が仮停止していないとき」とは異なるタイミングにすることについて示唆されている。
　
　さらに、遊技機の技術分野において、大当りの可能性が高いことを、大当りの信頼度の異なる種類の予告演出を用いて報知するに際して、予告演出の報知タイミングとして、図柄の変動中の早いタイミングの予告演出と遅いタイミングの予告演出の少なくとも２種類のタイミングの予告演出を設け、遊技者の期待感を持続させ、興趣を向上させるために、大当りの結果になる場合（大当り信頼度が高い場合）には、はずれの結果になる場合（大当り信頼度が低い場合）よりも高い割合で、遅いタイミングでの予告演出を選択することは、本願の遡及日前に周知の技術事項である（例えば、特開２００４−２９０２９４号公報の【０００５】〜【０００６】、【００８５】、【００８９】、【０１１７】〜【０１１９】、【図１０】等には、大当りに対する遊技者の期待感を持続させるために、大当り時の予告の方がはずれ時の予告よりも高い確率で遅いタイミングとされることが記載されている。
　また、特開２００５−５８２７３号公報の【０００９】〜【００１０】、【００６９】〜【００７０】、【００７９】、【図４】（ｂ）、【図６】等には、大当りに対する遊技者の期待感を低下させないために、予告後にリーチ状態となるときの方が予告後にはずれとなるときよりも遅いタイミングを選択する割合が高いことが記載されている。以下「周知の技術事項２」という。）。
　そして、刊行物発明は、「遊技者の興趣が向上する遊技機を提供すること」（上記３　イの【０００９】を参照。）を目的とするものである。
　
　そうすると、刊行物発明と上記周知の技術事項２とは、遊技者の興趣を向上させるという同一の課題を解決するものであると共に、遊技機という同一の技術分野に属するものである。
　さらに、刊行物発明の第１擬似連続予告演出図柄、及び、第２擬似連続予告演出図柄とは、再変動が継続することの信頼度の大小を予告するものであることに加えて、大当り信頼度の大小を予告するものである。一方、上記周知の技術事項２は、大当り信頼度の大小を予告するものである。このように、刊行物発明と上記周知の技術事項２とは、大当り信頼度の大小を複数種類の演出を用いて予告する点で共通する。
　
　これらのことを勘案すると、刊行物発明における第１擬似連続予告演出図柄、及び、第２擬似連続予告演出図柄を用いた擬似連続予告演出を実施する全再変動継続予告手段に、上記周知の技術事項２を適用することにより、再変動表示への期待感を持続させて、遊技者の興趣を向上させるために、再変動が継続することの予告をし、かつ、大当り予告を行うタイミングとして、仮停止よりも早いタイミングにおける、第１タイミングと該第１タイミングよりも遅い第２タイミングとのうちのいずれかを選択可能にし、かつ、第２擬似連続予告演出図柄（大当り信頼度の高い態様）については、早い第１タイミングに比し遅い第２タイミングを多い割合で選択し、逆に、第１擬似連続予告演出図柄（大当り信頼度の低い態様）については、遅い第２タイミングに比し早い第１タイミングを多い割合で選択するように構成すること、すなわち、前記相違点２に係る本願発明の構成にすることは、当業者が容易に想到し得たものである。
　
（３）上記相違点３について検討する。
　刊行物発明において、表示制御手段は、「チャンス目で仮停止する演出を実行することにより、大当りとなること又は大当りとなる可能性が高いことを遊技者に報知（予告）」するものであり、チャンス目で仮停止する演出を行うために、チャンス目選択用テーブルを用いて、６種類のチャンス目から１つのチャンス目を決定するものである。
　
　そして、遊技機の技術分野において、大当りの可能性が高いことを、大当りの信頼度の異なる複数種類のチャンス目による演出を用いて図柄の変動中に報知するに際して、遊技者の期待感を持続させ、興趣を向上させるために、第２再変動態様が選択された場合（大当りとなる場合）には、第１再変動態様が選択された場合（はずれとなる場合）よりも高い割合で、信頼度の高い方のチャンス目による演出を選択し、選択したチャンス目による演出態様を用いて大当り予告演出を行うことは、本願の遡及日前に周知の技術事項である（当審による平成２７年６月２６日付け拒絶理由通知書において提示した特開２００２−４５４９２号公報の【００１１】〜【００１５】、【００７１】、【００７９】〜【００８０】、【００８５】〜【００９１】、【００９９】〜【０１００】、【図１４】（ｂ）、【図１６】（ｂ）等には、遊技者の期待感を複数段に亘って段階的に高めていくために、第２チャンス目として、大当り期待度の異なる複数のチャンス目を設け、第２チャンス目の参照テーブル（【図１６】（ｂ））と乱数ＲＮ２とに基づいて、第２チャンス目の種類を決定し、例えば、第２チャンス目Ａについて、大当り時には、乱数ＲＮ２が１〜４９０であれば、第２再変動態様を構成する第２チャンス目Ａが決定され、はずれ時には、乱数ＲＮ２が１〜１８９であれば、第１再変動態様を構成する第２チャンス目Ａが決定され、決定された第２チャンス目による仮停止表示を用いて大当り予告演出を行うことが記載されている。
　また、特開２００８−１９４３９１号公報の【０４６０】〜【０４６９】、【０５９０】〜【０５９１】には、遊技者がチャンス目Ａであるか、チャンス目Ｂであるかに興味を持つようになり、遊技の興趣を向上させるために、リーチはずれのときのスーパーリーチを伴う場合に、第１再変動態様としてのチャンス目Ａの停止を伴う変動パターンと、チャンス目Ｂの停止を伴う変動パターンとを変動パターンとして選択可能とし、大当りのときのスーパーリーチを伴う場合について、第２再変動態様としてのチャンス目Ａの停止を伴う変動パターンと、チャンス目Ｂの停止を伴う変動パターンとを変動パターンとして選択可能とし、チャンス目Ａが停止したときはスーパーリーチＢに発展し、チャンス目Ｂが停止したときはスーパーリーチＤに発展するようにし、チャンス目Ｂが停止したときはチャンス目Ａが停止したときよりも大当りの信頼度を高くしたことが記載されている。以下「周知の技術事項３」という。）。
　また、刊行物発明と上記周知の技術事項３とは、遊技者の興趣を向上させるという同一の課題を解決するものであり、遊技機という同一の技術分野に属するものであると共に、チャンス目による再変動を可能とし、大当り予告を複数種類のチャンス目による連続演出を用いて行う点で共通するものである。
　
　これらのことからみて、刊行物発明において、上記周知の技術事項３に倣って、６種類のチャンス目を大当り信頼度の異なるチャンス目とすると共に、第２再変動態様が選択された場合は、第１再変動態様が選択された場合に比して高い割合（異なる割合）で、信頼度の高いチャンス目を選択するように構成し、選択したチャンス目による演出態様を用いて予告演出を実行し、上記相違点３に係る本願発明の構成とすることは、当業者が容易に想到し得たものである。
　
（４）請求人の主張について
　　ア　請求人は、平成２７年８月２６日の意見書において、「拒絶理由通知書においては、文献４（特開２００４−２９０２９４号公報）及び文献５（特開２００５−５８２７３号公報）を例示して、遊技機の技術分野において、予告報知のタイミングとして、早いタイミングと遅いタイミングの少なくとも２つのタイミングを設け、遊技者の期待感を持続させるために、予告報知のとおりの結果になる場合には予告報知のとおりの結果にならない場合よりも高い割合で、遅いタイミングでの予告報知を選択することは周知であると説示されていますが、例示された文献の予告は大当り予告やリーチ予告であり、再変動予告を行うものではありません。」（第２頁２７行〜３３行）と主張する。
　
　しかしながら、上記（２）において検討したように、刊行物発明の第１擬似連続予告演出図柄、及び、第２擬似連続予告演出図柄とは、再変動が継続することの信頼度の大小を予告するものであることに加えて、大当り信頼度の大小を予告するものである。
　一方、上記周知の技術事項２は、大当り信頼度の大小を予告するものである。
　このように、刊行物発明と上記周知の技術事項２とは、大当り信頼度の大小を複数種類の演出を用いて予告する点で共通する。
　そして、刊行物発明と上記周知の技術事項２とは、遊技者の興趣を向上させるという同一の課題を解決するものであり、遊技機という同一の技術分野に属するものであると共に、大当り信頼度の大小を複数種類の演出を用いて予告する点で共通する。
　したがって、刊行物発明の擬似連続変動が継続するか否かの予告に関する技術事項に上記周知の技術事項２を適用することは、十分な動機付けがある。
　よって、請求人の上記主張は採用できない。
　
　　イ　また、請求人は、同じく、平成２７年８月２６日の意見書において、「上記の事項が周知技術であったとしても、引用発明１には再変動するかしないかの報知情報の表示タイミングを選択するという発想はありませんし、補正によって「前記再変動態様が選択されたときにおいて１回目の仮停止よりも前において、前記仮停止前情報報知手段により前記所定の情報を報知することを制限可能な報知制限手段」を追加しましたので、その点の構成の差もあります。」（第２頁第３４〜３８行）と主張する。
　
　しかしながら、刊行物発明は、第１擬似連続予告演出図柄、及び、第２擬似連続予告演出図柄による擬似連続予告演出を仮停止前に行うタイミングを全て（左中右）の図柄が仮停止していないときに行うものであるが、刊行物１には、擬似連続予告演出を行うタイミングを当該タイミングと異なるタイミングとする（例えば、左図柄が仮停止したときや左右図柄が仮停止した時点で行うようにしてもよい。前記３　サの【０４７９】を参照。）ことが示唆されている。
　さらに、上記周知の技術事項２は、大当りの結果になる場合（大当り信頼度が高い場合）には、はずれの結果になる場合（大当り信頼度が低い場合）よりも高い割合で、遅いタイミングでの予告演出を選択するものである。
　そして、刊行物発明に上記周知の技術事項２を適用することは、上記アにおいて検討したように十分な動機付けがある。
　
　また、平成２７年８月２６日付け手続補正書により付加された発明特定事項に関しては、上記（１）において検討したように、刊行物発明に上記周知の技術事項１を適用することにより当業者が容易になし得たものである。
　
　よって、請求人の上記主張は採用できない。　
　
（５）小括
　上記（１）〜（４）において検討したように、本願発明は、当業者が刊行物発明及び周知の技術事項に基づいて容易に発明をすることができたものである。
　また、本願発明により奏される効果は、当業者が、刊行物発明及び周知の技術事項から予測し得る範囲内のものであって、格別のものではない。
　
６　むすび
　以上のとおりであるから、本願発明は、特許法第２９条第２項の規定により特許を受けることができない。
　したがって、本願は拒絶すべきものである。
　
　よって、結論のとおり審決する。。